(57)【要約】【課題】大きな変倍比を有していても像面湾曲を初めとする軸外収差を良好に補正し、かつ、全ズーム域で良好なテレセントリック性を確保できる投影レンズと、それを備えたプロジェクターを提供する。【解決手段】投影レンズＺＬは、負正正正正の５群構成のズームレンズであって、第２群Ｇｒ２と第３群Ｇｒ３が変倍時にそれぞれ移動し、第４群Ｇｒ４が広角端Ｗから望遠端Ｔへの変倍において拡大側へ移動し、第５群Ｇｒ５が変倍時に固定であり、３枚以上のレンズからなる。条件式：２＜Ｔ３４ｗ／Ｔ３４ｔ＜３０（Ｔ３４ｔ：望遠端での第３群と第４群との間隔、Ｔ３４ｗ：広角端での第３群と第４群との間隔）を満足する。【選択図】図１
2014035459.tif 000002
【特許請求の範囲】
【請求項１】
拡大側から順に、負パワーを有する第１群と、正パワーを有する第２群と、正パワーを有する第３群と、正パワーを有する第４群と、正パワーを有する第５群と、からなり、各群間隔を変化させることにより変倍を行う５群構成のズームレンズであって、
前記第２群と前記第３群が変倍時にそれぞれ移動し、
前記第４群が広角端から望遠端への変倍において拡大側へ移動し、
前記第５群が変倍時に固定であり、かつ、３枚以上のレンズからなり、
以下の条件式（１）を満足することを特徴とする投影レンズ；
２＜Ｔ３４ｗ／Ｔ３４ｔ＜３０  …（１）
ただし、
Ｔ３４ｔ：望遠端での第３群と第４群との間隔、
Ｔ３４ｗ：広角端での第３群と第４群との間隔、
である。
【請求項２】
拡大側から順に、負パワーを有する第１群と、正パワーを有する第２群と、正パワーを有する第３群と、正パワーを有する第４群と、正パワー又は負パワーを有する第５群と、正パワーを有する第６群と、からなり、各群間隔を変化させることにより変倍を行う６群構成のズームレンズであって、
前記第２群と前記第３群が変倍時にそれぞれ移動し、
前記第４群が広角端から望遠端への変倍において拡大側へ移動し、
前記第６群が変倍時に固定であり、かつ、３枚以上のレンズからなり、
以下の条件式（１）を満足することを特徴とする投影レンズ；
２＜Ｔ３４ｗ／Ｔ３４ｔ＜３０  …（１）
ただし、
Ｔ３４ｔ：望遠端での第３群と第４群との間隔、
Ｔ３４ｗ：広角端での第３群と第４群との間隔、
である。
【請求項３】
拡大側から順に、負パワーを有する第１群と、正パワーを有する第２群と、正パワーを有する第３群と、正パワーを有する第４群と、正パワーを有する第５群と、からなり、各群間隔を変化させることにより変倍を行う５群構成のズームレンズであって、
前記第２群と前記第３群が変倍時にそれぞれ移動し、
前記第４群が広角端から望遠端への変倍において拡大側へ移動し、
前記第５群が変倍時に固定であり、かつ、絞りを有し、
以下の条件式（１）を満足することを特徴とする投影レンズ；
２＜Ｔ３４ｗ／Ｔ３４ｔ＜３０  …（１）
ただし、
Ｔ３４ｔ：望遠端での第３群と第４群との間隔、
Ｔ３４ｗ：広角端での第３群と第４群との間隔、
である。
【請求項４】
拡大側から順に、負パワーを有する第１群と、正パワーを有する第２群と、正パワーを有する第３群と、正パワーを有する第４群と、正パワー又は負パワーを有する第５群と、正パワーを有する第６群と、からなり、各群間隔を変化させることにより変倍を行う６群構成のズームレンズであって、
前記第２群と前記第３群が変倍時にそれぞれ移動し、
前記第４群が広角端から望遠端への変倍において拡大側へ移動し、
前記第６群が変倍時に固定であり、かつ、絞りを有し、
以下の条件式（１）を満足することを特徴とする投影レンズ；
２＜Ｔ３４ｗ／Ｔ３４ｔ＜３０  …（１）
ただし、
Ｔ３４ｔ：望遠端での第３群と第４群との間隔、
Ｔ３４ｗ：広角端での第３群と第４群との間隔、
である。
【請求項５】
以下の条件式（２）を全変倍域で満足することを特徴とする請求項１〜４のいずれか１項に記載の投影レンズ；
−０．００２＜１／ｅｘｐ＜０．００２  …（２）
ただし、
ｅｘｐ：縮小側像面から射出瞳までの距離、
である。
【請求項６】
前記第１群が変倍時に固定であることを特徴とする請求項１〜５のいずれか１項に記載の投影レンズ。
【請求項７】
前記第３群が正の単レンズからなることを特徴とする請求項１〜６のいずれか１項に記載の投影レンズ。
【請求項８】
前記第３群を構成する正の単レンズがメニスカスレンズであることを特徴とする請求項７記載の投影レンズ。
【請求項９】
前記第３群を構成する正の単レンズが縮小側に凸のメニスカスレンズであることを特徴とする請求項８記載の投影レンズ。
【請求項１０】
前記メニスカスレンズが以下の条件式（３）を満足することを特徴とする請求項９記載の投影レンズ；
−０．２＜（Ｒ３ｒ−Ｒ３ｆ）／（Ｒ３ｒ＋Ｒ３ｆ）＜−０．０１  …（３）
ただし、
Ｒ３ｆ：第３群を構成する単レンズの拡大側面の曲率半径、
Ｒ３ｒ：第３群を構成する単レンズの縮小側面の曲率半径、
である。
【請求項１１】
変倍時に移動する群の移動量のうち前記第４群の移動量が最も大きいことを特徴とする請求項１〜１０のいずれか１項に記載の投影レンズ。
【請求項１２】
前記第３群が広角端から望遠端への変倍において拡大側へ移動することを特徴とする請求項１〜１１のいずれか１項に記載の投影レンズ。
【請求項１３】
以下の条件式（４）を満足することを特徴とする請求項１〜１２のいずれか１項に記載の投影レンズ；
１．２５＜ｆｔ／ｆｗ＜１．５  …（４）
ただし、
ｆｗ：広角端での焦点距離、
ｆｔ：望遠端での焦点距離、
である。
【請求項１４】
以下の条件式（５）を満足することを特徴とする請求項１〜１３のいずれか１項に記載の投影レンズ；
−５＜ｆ１／ｆｗ＜−１  …（５）
ただし、
ｆ１：第１群の焦点距離、
ｆｗ：広角端での焦点距離、
である。
【請求項１５】
以下の条件式（６）を満足することを特徴とする請求項１〜１４のいずれか１項に記載の投影レンズ；
５＜ｆ４／ｆｗ＜１０  …（６）
ただし、
ｆ４：第４群の焦点距離、
ｆｗ：広角端での焦点距離、
である。
【請求項１６】
以下の条件式（７）を満足することを特徴とする請求項１〜１５のいずれか１項に記載の投影レンズ；
２＜ｆｉ／ｆｗ＜５  …（７）
ただし、
ｆｉ：最終群の焦点距離、
ｆｗ：広角端での焦点距離、
である。
【請求項１７】
画像を表示する画像表示素子と、光源と、その光源からの光を前記画像表示素子に導く照明光学系と、前記画像表示素子に表示された画像をスクリーン面に拡大投影する請求項１〜１６のいずれか１項に記載の投影レンズと、を備えたことを特徴とするプロジェクター。
【発明の詳細な説明】
【技術分野】
【０００１】
本発明は変倍機能を有する投影レンズ及びプロジェクターに関するものであり、例えば、大きい変倍比を達成する場合に最適な投影用ズームレンズと、それを用いたプロジェクターに関するものである。
【背景技術】
【０００２】
プロジェクター用の投影レンズとして好適なズームレンズが、特許文献１，２等で提案されている。
【先行技術文献】
【特許文献】
【０００３】
【特許文献１】特開２０１０−００８７９７号公報
【特許文献２】特開２０１１−０２８１２３号公報
【発明の概要】
【発明が解決しようとする課題】
【０００４】
しかし、さまざまなシチュエーションに対応できる高変倍率ズームレンズが近年求められるようになってきているため、特許文献１，２等で提案されているような従来のズーム構成では十分な光学性能を得ることができない。レンズの変倍比を大きくする場合、変倍に働く群（変倍群：バリエーター）の移動量が大きくなる傾向があり、その場合、特に軸外収差について変倍による変動が大きくなるからである。
【０００５】
軸外収差の変動について（ここでは特に像面湾曲について）、３次収差係数から考えてみる。以下の式（ＦＣ）は３次の像面湾曲収差係数を示す式であり、この式（ＦＣ）に従って像面湾曲が発生すると考えてよい。
ＩＶ＝〈Ｑ〉2Δ（１／ｎｓ）ｈ2〈ｈ〉2＋Ｐ  …（ＦＣ）
ただし、
〈Ｑ〉：アッベの不変量（定数）、
Δ（）：（）内の像側の数値と物体側の数値の差、
ｎ：屈折面から物体側、像側の屈折率、
ｓ：物体及び像の屈折面からの距離、
ｈ：軸上マージナル光線高さ、
〈ｈ〉：軸外主光線高さ、
Ｐ：ペッツバール和、
である。
【０００６】
ペッツバール和Ｐが十分に小さい場合、像面湾曲量は軸外主光線の通過位置ｈの２乗に比例して大きくなる。変倍群の移動量が大きくなると、特に軸外主光線の通過位置が大きく変化するため、変倍によって像面湾曲が大きく変化するようになる。像面湾曲以外の軸外収差についても軸外主光線の通過位置が高くなるほど大きくなるので、同じ考え方が成り立ち、変倍により大きく変化することになる。
【０００７】
例えば、特許文献１記載の４群構成のズームレンズでは、変倍比を大きくするために変倍群である第３群の移動量が大きくなっており、軸外収差の変倍時の変動が大きくなっている。また、式（ＦＣ）から分かるように、軸外収差の変動をコントロールするには軸外主光線通過位置が高い位置に移動群を設けることが効果的であり、そのような構成を有するズームレンズが特許文献２に記載されている。しかし、特許文献２記載のズームレンズは、軸外収差補正のための可動群が絞りより縮小側にあるため、変倍時のテレセントリック性の変動を抑えることが困難になっている。
【０００８】
本発明はこのような状況に鑑みてなされたものであって、その目的は、大きな変倍比を有していても像面湾曲を初めとする軸外収差を良好に補正し、かつ、全ズーム域で良好なテレセントリック性を確保できる投影レンズと、それを備えたプロジェクターを提供することにある。
【課題を解決するための手段】
【０００９】
上記目的を達成するために、第１の発明の投影レンズは、拡大側から順に、負パワーを有する第１群と、正パワーを有する第２群と、正パワーを有する第３群と、正パワーを有する第４群と、正パワーを有する第５群と、からなり、各群間隔を変化させることにより変倍を行う５群構成のズームレンズであって、前記第２群と前記第３群が変倍時にそれぞれ移動し、前記第４群が広角端から望遠端への変倍において拡大側へ移動し、前記第５群が変倍時に固定であり、かつ、３枚以上のレンズからなり、以下の条件式（１）を満足することを特徴とする。
２＜Ｔ３４ｗ／Ｔ３４ｔ＜３０  …（１）
ただし、
Ｔ３４ｔ：望遠端での第３群と第４群との間隔、
Ｔ３４ｗ：広角端での第３群と第４群との間隔、
である。
【００１０】
第２の発明の投影レンズは、拡大側から順に、負パワーを有する第１群と、正パワーを有する第２群と、正パワーを有する第３群と、正パワーを有する第４群と、正パワー又は負パワーを有する第５群と、正パワーを有する第６群と、からなり、各群間隔を変化させることにより変倍を行う６群構成のズームレンズであって、前記第２群と前記第３群が変倍時にそれぞれ移動し、前記第４群が広角端から望遠端への変倍において拡大側へ移動し、前記第６群が変倍時に固定であり、かつ、３枚以上のレンズからなり、以下の条件式（１）を満足することを特徴とする。
２＜Ｔ３４ｗ／Ｔ３４ｔ＜３０  …（１）
ただし、
Ｔ３４ｔ：望遠端での第３群と第４群との間隔、
Ｔ３４ｗ：広角端での第３群と第４群との間隔、
である。
【００１１】
第３の発明の投影レンズは、拡大側から順に、負パワーを有する第１群と、正パワーを有する第２群と、正パワーを有する第３群と、正パワーを有する第４群と、正パワーを有する第５群と、からなり、各群間隔を変化させることにより変倍を行う５群構成のズームレンズであって、前記第２群と前記第３群が変倍時にそれぞれ移動し、前記第４群が広角端から望遠端への変倍において拡大側へ移動し、前記第５群が変倍時に固定であり、かつ、絞りを有し、以下の条件式（１）を満足することを特徴とする。
２＜Ｔ３４ｗ／Ｔ３４ｔ＜３０  …（１）
ただし、
Ｔ３４ｔ：望遠端での第３群と第４群との間隔、
Ｔ３４ｗ：広角端での第３群と第４群との間隔、
である。
【００１２】
第４の発明の投影レンズは、拡大側から順に、負パワーを有する第１群と、正パワーを有する第２群と、正パワーを有する第３群と、正パワーを有する第４群と、正パワー又は負パワーを有する第５群と、正パワーを有する第６群と、からなり、各群間隔を変化させることにより変倍を行う６群構成のズームレンズであって、前記第２群と前記第３群が変倍時にそれぞれ移動し、前記第４群が広角端から望遠端への変倍において拡大側へ移動し、前記第６群が変倍時に固定であり、かつ、絞りを有し、以下の条件式（１）を満足することを特徴とする。
２＜Ｔ３４ｗ／Ｔ３４ｔ＜３０  …（１）
ただし、
Ｔ３４ｔ：望遠端での第３群と第４群との間隔、
Ｔ３４ｗ：広角端での第３群と第４群との間隔、
である。
【００１３】
第５の発明の投影レンズは、上記第１〜第４のいずれか１つの発明において、以下の条件式（２）を全変倍域で満足することを特徴とする。
−０．００２＜１／ｅｘｐ＜０．００２  …（２）
ただし、
ｅｘｐ：縮小側像面から射出瞳までの距離、
である。
【００１４】
第６の発明の投影レンズは、上記第１〜第５のいずれか１つの発明において、前記第１群が変倍時に固定であることを特徴とする。
【００１５】
第７の発明の投影レンズは、上記第１〜第６のいずれか１つの発明において、前記第３群が正の単レンズからなることを特徴とする。
【００１６】
第８の発明の投影レンズは、上記第７の発明において、前記第３群を構成する正の単レンズがメニスカスレンズであることを特徴とする。
【００１７】
第９の発明の投影レンズは、上記第８の発明において、前記第３群を構成する正の単レンズが縮小側に凸のメニスカスレンズであることを特徴とする。
【００１８】
第１０の発明の投影レンズは、上記第９の発明において、前記メニスカスレンズが以下の条件式（３）を満足することを特徴とする。
−０．２＜（Ｒ３ｒ−Ｒ３ｆ）／（Ｒ３ｒ＋Ｒ３ｆ）＜−０．０１  …（３）
ただし、
Ｒ３ｆ：第３群を構成する単レンズの拡大側面の曲率半径、
Ｒ３ｒ：第３群を構成する単レンズの縮小側面の曲率半径、
である。
【００１９】
第１１の発明の投影レンズは、上記第１〜第１０のいずれか１つの発明において、変倍時に移動する群の移動量のうち前記第４群の移動量が最も大きいことを特徴とする。
【００２０】
第１２の発明の投影レンズは、上記第１〜第１１のいずれか１つの発明において、前記第３群が広角端から望遠端への変倍において拡大側へ移動することを特徴とする。
【００２１】
第１３の発明の投影レンズは、上記第１〜第１２のいずれか１つの発明において、以下の条件式（４）を満足することを特徴とする。
１．２５＜ｆｔ／ｆｗ＜１．５  …（４）
ただし、
ｆｗ：広角端での焦点距離、
ｆｔ：望遠端での焦点距離、
である。
【００２２】
第１４の発明の投影レンズは、上記第１〜第１３のいずれか１つの発明において、以下の条件式（５）を満足することを特徴とする。
−５＜ｆ１／ｆｗ＜−１  …（５）
ただし、
ｆ１：第１群の焦点距離、
ｆｗ：広角端での焦点距離、
である。
【００２３】
第１５の発明の投影レンズは、上記第１〜第１４のいずれか１つの発明において、以下の条件式（６）を満足することを特徴とする。
５＜ｆ４／ｆｗ＜１０  …（６）
ただし、
ｆ４：第４群の焦点距離、
ｆｗ：広角端での焦点距離、
である。
【００２４】
第１６の発明の投影レンズは、上記第１〜第１５のいずれか１つの発明において、以下の条件式（７）を満足することを特徴とする。
２＜ｆｉ／ｆｗ＜５  …（７）
ただし、
ｆｉ：最終群の焦点距離、
ｆｗ：広角端での焦点距離、
である。
【００２５】
第１７の発明のプロジェクターは、画像を表示する画像表示素子と、光源と、その光源からの光を前記画像表示素子に導く照明光学系と、前記画像表示素子に表示された画像をスクリーン面に拡大投影する上記第１〜第１６のいずれか１つの発明に係る投影レンズと、を備えたことを特徴とする。
【発明の効果】
【００２６】
本発明によれば、第３群の動き等が適切に設定された構成になっているため、大きな変倍比を有していても像面湾曲を初めとする軸外収差を良好に補正し、かつ、全ズーム域で良好なテレセントリック性を確保することが可能である。
【図面の簡単な説明】
【００２７】
【図１】第１の実施の形態（実施例１）の光学構成図。
【図２】第２の実施の形態（実施例２）の光学構成図。
【図３】第３の実施の形態（実施例３）の光学構成図。
【図４】第４の実施の形態（実施例４）の光学構成図。
【図５】第５の実施の形態（実施例５）の光学構成図。
【図６】第６の実施の形態（実施例６）の光学構成図。
【図７】第１の実施の形態（実施例１）の光路図。
【図８】第２の実施の形態（実施例２）の光路図。
【図９】第３の実施の形態（実施例３）の光路図。
【図１０】第４の実施の形態（実施例４）の光路図。
【図１１】第５の実施の形態（実施例５）の光路図。
【図１２】第６の実施の形態（実施例６）の光路図。
【図１３】実施例１の収差図。
【図１４】実施例２の収差図。
【図１５】実施例３の収差図。
【図１６】実施例４の収差図。
【図１７】実施例５の収差図。
【図１８】実施例６の収差図。
【図１９】プロジェクターの一実施の形態を示す模式図。
【発明を実施するための形態】
【００２８】
以下、本発明に係る投影レンズ，プロジェクター等を説明する。本発明に係る投影レンズは、拡大側から順に負正正正の４群を有し、最も縮小側に正の最終群を有する、５群構成又は６群構成のズームレンズである。つまり、拡大側から順に、負パワーを有する第１群と、正パワーを有する第２群と、正パワーを有する第３群と、正パワーを有する第４群と、正パワーを有する第５群と、からなり、各群間隔を変化させることにより変倍を行う５群構成のズームレンズ、又は、拡大側から順に、負パワーを有する第１群と、正パワーを有する第２群と、正パワーを有する第３群と、正パワーを有する第４群と、正パワー又は負パワーを有する第５群と、正パワーを有する第６群と、からなり、各群間隔を変化させることにより変倍を行う６群構成のズームレンズである（パワー：焦点距離の逆数で定義される量）。
【００２９】
５群構成のズームレンズでは、前記第２群と前記第３群が変倍時にそれぞれ移動し、前記第４群が広角端から望遠端への変倍において拡大側へ移動し、前記第５群が変倍時に固定であり、以下の条件式（１）を満足している。そして、前記第５群が３枚以上のレンズからなるか、又は、絞りを有する構成になっている。６群構成のズームレンズでは、前記第２群と前記第３群が変倍時にそれぞれ移動し、前記第４群が広角端から望遠端への変倍において拡大側へ移動し、前記第６群が変倍時に固定であり、以下の条件式（１）を満足している。そして、前記第６群が３枚以上のレンズからなるか、又は、絞りを有する構成になっている。
２＜Ｔ３４ｗ／Ｔ３４ｔ＜３０  …（１）
ただし、
Ｔ３４ｔ：望遠端での第３群と第４群との間隔、
Ｔ３４ｗ：広角端での第３群と第４群との間隔、
である。
【００３０】
上記構成は、負正正始まりのズームレンズにおいて、変倍群であり最も移動量の大きい第３群の前に、変倍時に独立して動く正の群を軸外収差補正のために挿入したものである。このことにより、高倍率ズームレンズのために変倍群の移動量が大きくなっても、挿入した正の群により、軸外収差の変倍時の変動を補正することができる。なお、上記挿入した正の群は本発明における第３群に相当し、上記最も移動量の大きい変倍群である第３群は本発明における第４群に相当する。
【００３１】
条件式（１）は、第３群の動きを規制するものである。第１群が負の屈折力を持つズームレンズにおいては、一般的に変倍群が望遠端で拡大側に移動するが、この場合、変倍群における広角端での軸外主光線通過位置が低くなるため、広角端での軸外収差、特に像面湾曲を補正しきれない。したがって、第３群で広角端の軸外収差を補正するには、広角端で軸外主光線位置が高くなる拡大側に第３群を置く必要があるが、条件式（１）の下限を下回ると、広角端で第３群が第４群に近づきすぎて、第３群での軸外主光線通過位置が低くなるため、広角端の軸外収差を第３群で補正しきれなくなる。
【００３２】
また、第１群が負の屈折力を持つズームレンズにおいては、一般的に拡大側に近づくほど広角端の軸外主光線通過位置が望遠端よりも高くなる。そのため、拡大側の群では軸外収差、特に像面湾曲について変倍時に第４群で発生するものと逆の方向の隔差が発生する。そのことから考えると、条件式（１）の上限を上回るほど、第３群が第４群から離れてしまうと広角端の軸外収差を補正しすぎて逆方向の隔差が発生してしまう。
【００３３】
また、プロジェクター用投影レンズにおいては、プリズムを使用して照明光を取り込む関係上縮小側でテレセントリック性が必要となる。この場合、縮小側の軸上と軸外の主光線が高い精度で平行になっている。光線取り込みのためのコートには角度依存性があるため、このことにより光線取り込みにムラが生じることを防ぐことができる。本発明では、最も縮小側の群を固定とし、かつ、３枚以上のレンズから構成することにより、変倍時の収差の変動を小さくしつつ、テレセントリック性の確保のために必要な最終群のパワーを確保することで、変倍時のテレセントリック性の変動を防ぎ、変倍による画質の変化を抑えることができる。
【００３４】
最終群に絞りを設けることも、変倍時のテレセントリック性の変動を防ぐことに有効である。前述したように、プロジェクター用投影レンズにおいては、プリズムを使用して照明光を取り込む関係上縮小側でテレセントリック性が必要となる。この場合、縮小側の軸上と軸外の主光線が高い精度で平行になっている。光線取り込みのためのコートには角度依存性があるため、このことにより光線取り込みにムラが生じることを防ぐことができる。本発明では、最も縮小側の群を固定とし、かつ、絞りを有する構成にすることで、変倍時のテレセントリック性の変動を防ぎ、変倍による画質の変化を抑えることができる。例えば、ダイクロイックプリズムでの色合成やＴＩＲ(Total Internal Reflection)プリズムでの照明光の取り込みを行う場合に、テレセントリック性の変動に起因する画質の変化を抑えることができる。
【００３５】
上述した投影レンズの特徴的構成によると、第３群の動き等が適切に設定された構成になっているため、大きな変倍比を有していても像面湾曲を初めとする軸外収差を良好に補正し、かつ、全ズーム域で良好なテレセントリック性を確保することが可能である。そして、その投影レンズをプロジェクターに用いれば、プロジェクターの高性能化，高機能化，コンパクト化等に寄与することができる。こういった効果をバランス良く得るとともに、更に高い光学性能，小型化等を達成するための条件等を以下に説明する。
【００３６】
以下の条件式（２）を全変倍域で満足することが望ましい。
−０．００２＜１／ｅｘｐ＜０．００２  …（２）
ただし、
ｅｘｐ：縮小側像面から射出瞳までの距離、
である。
【００３７】
条件式（２）は、射出瞳が縮小側像位置から十分離れていることを示している。条件式（２）を満たせば、移動量の大きい変倍群は縮小側像面から離れるため、変倍群として第４群が絞りよりも拡大側に位置することになる。これにより、広角端での光線通過位置を容易に低くすることができ、第３群での軸外収差補正が容易になる。したがって、良好なテレセントリック性を有する投影レンズを実現できる。
【００３８】
前記第１群は変倍時に固定であることが望ましい。第１群を変倍時固定とすれば、広角端で第１群における軸外主光線通過位置を高くすることができ、さらに軸外収差を補正することが可能となる。また、径が大きくなりやすい第１群を固定とすることで、玉枠構成を簡単なものにすることができ、コストの増大を抑えることができる。
【００３９】
前記第３群は正の単レンズからなることが望ましい。第３群を正の単レンズで構成することにより、第３群に軸外光を光軸方向へ収束させる効果を持たせることができ、変倍時の移動量を大きくした場合に大きくなる傾向がある第４群の径を小さくすることが可能となる。また、単レンズとすることで、変倍群である第４群の移動量が大きい場合でもズームレンズの更なる大型化を防ぐことができる。
【００４０】
前記第３群を構成する正の単レンズはメニスカスレンズであることが望ましい。第３群を構成する正の単レンズをメニスカス形状にすれば、第３群のペッツバール和を小さくすることができ、軸外収差のうち像面湾曲の第３群での発生を更に抑えることができる。
【００４１】
前記第３群を構成する正の単レンズは縮小側に凸のメニスカスレンズであることが望ましい。第３群を構成する正のメニスカスレンズを縮小側に凸形状にすれば、軸外光を拡大側の凹面で発散させ、縮小側の凸面で収束させることができる。したがって、拡大側に凸の場合と比べて、第３群内の軸外主光線の通過位置を高くすることができ、更に効率的に軸外収差の発生を抑えることができる。
【００４２】
前記メニスカスレンズは以下の条件式（３）を満足することが望ましい。
−０．２＜（Ｒ３ｒ−Ｒ３ｆ）／（Ｒ３ｒ＋Ｒ３ｆ）＜−０．０１  …（３）
ただし、
Ｒ３ｆ：第３群を構成する単レンズの拡大側面の曲率半径、
Ｒ３ｒ：第３群を構成する単レンズの縮小側面の曲率半径、
である。
【００４３】
条件式（３）の下限を下回ると、第３群の屈折力が大きくなりすぎて、第３群内で発生するペッツバール和が大きくなるため、像面湾曲を補正することが困難になる。条件式（３）の上限を上回ると、第３群が軸外光を収束させる効果が小さくなり、レンズの小型化が困難になる。
【００４４】
以下の条件式（３ａ）を満足することが更に望ましい。
−０．１８＜（Ｒ３ｒ−Ｒ３ｆ）／（Ｒ３ｒ＋Ｒ３ｆ）＜−０．０５  …（３ａ）
この条件式（３ａ）は、前記条件式（３）が規定している条件範囲のなかでも、前記観点等に基づいた更に好ましい条件範囲を規定している。したがって、好ましくは条件式（３ａ）を満たすことにより、前記効果をより一層大きくすることができる。
【００４５】
変倍時に移動する群の移動量のうち前記第４群の移動量が最も大きいことが望ましい。変倍時の第４群の移動量が最も大きいことは、第４群の移動が最も変倍効果を持つことを意味する。正の屈折力を持つ群の場合、拡大側へ移動させることで倍率を大きくすることができる。この場合、縮小側の像が拡大側の像に対して相対的に大きくなるので、投影レンズ系では同じ投影距離でのスクリーン幅が小さくなる。すなわち、正の群を拡大側へ移動させると望遠側への変倍効果が得られる。また、変倍群よりも縮小側にある群では軸外主光線の通過位置が低いため、軸外収差の補正効果が小さくなる。そこで、第４群以外の移動群、すなわち第２群、第３群が変倍群であった場合は、軸外収差を補正しやすい拡大側の群が少なくなることを意味する。したがって、第４群を変倍群にすることで、更に効率的に軸外収差を補正することが可能となる。
【００４６】
前記第３群が広角端から望遠端への変倍において拡大側へ移動することが望ましい。このように、第４群と同じ方向に第３群を移動させることで、ズームレンズが大きくなることを防ぐことができる。
【００４７】
以下の条件式（４）を満足することが望ましい。
１．２５＜ｆｔ／ｆｗ＜１．５  …（４）
ただし、
ｆｗ：広角端での焦点距離、
ｆｔ：望遠端での焦点距離、
である。
【００４８】
条件式（４）は、投影レンズとして好ましい変倍比を規定している。つまり、第３群及び第４群の移動に関する条件式（１）を満たす上で好ましい変倍比の範囲を規定している。条件式（４）の下限を下回ると、変倍比が小さすぎて、投影光学系を設置できる場面が限られてしまう。条件式（４）の上限を上回ると、変倍比を大きくするためには第４群の移動量を増やす必要があるため、変倍時の軸外収差の変動が大きくなり、第３群での補正が困難になる。
【００４９】
以下の条件式（５）を満足することが望ましい。
−５＜ｆ１／ｆｗ＜−１  …（５）
ただし、
ｆ１：第１群の焦点距離、
ｆｗ：広角端での焦点距離、
である。
【００５０】
条件式（５）は、第１群の好ましい屈折力を規定している。条件式（５）の下限を下回ると、第１群の屈折力が小さくなり、第１群を小さくしてコンパクトなズームレンズにすることが難しくなる。条件式（５）の上限を上回ると、第１群の屈折力が大きくなりすぎ、特に歪曲収差を抑えることが困難になる。
【００５１】
以下の条件式（６）を満足することが望ましい。
５＜ｆ４／ｆｗ＜１０  …（６）
ただし、
ｆ４：第４群の焦点距離、
ｆｗ：広角端での焦点距離、
である。
【００５２】
条件式（６）は、第４群の好ましい屈折力を規定している。条件式（６）の下限を下回ると、第４群の屈折力が大きくなり、第４群内で軸外収差が発生しやすくなるため、変倍時の軸外収差の補正が難しくなる。条件式（６）の上限を上回ると、第４群の屈折力が小さくなりすぎて、高い変倍比を得るためには移動量を増やす必要が出てきてコンパクトにすることが困難になる。
【００５３】
以下の条件式（７）を満足することが望ましい。
２＜ｆｉ／ｆｗ＜５  …（７）
ただし、
ｆｉ：最終群の焦点距離、
ｆｗ：広角端での焦点距離、
である。
【００５４】
条件式（７）は、最終群（５群構成では第５群であり、６群構成では第６群である。）の好ましい屈折力を規定している。条件式（７）の下限を下回ると、最終群の屈折力が大きくなって、最終群で発生する軸外収差を抑えることが困難になる。条件式（７）の上限を上回ると、最終群の屈折力が小さくなりすぎて、軸外光線を曲げてテレセントリック性を確保することが困難になる。
【００５５】
次に、第１〜第６の実施の形態を挙げて、投影レンズＺＬの具体的な光学構成を説明する。図１〜図６は、第１〜第６の実施の形態を構成する投影レンズＺＬにそれぞれ対応する光学構成図であり、広角端（Ｗ）でのレンズ配置等を光学断面で示している。また、図７〜図１２は、第１〜第６の実施の形態を構成する投影レンズＺＬにそれぞれ対応する光路図であり、（Ａ）は広角端（Ｗ）での光路等、（Ｂ）は望遠端（Ｔ）での光路等を、それぞれ光学断面で示している。
【００５６】
図１〜図６中の矢印ｍｋ（ｋ＝１，２，３，…）は、広角端（Ｗ）から望遠端（Ｔ）へのズーミングにおける第ｋ群Ｇｒｋの移動をそれぞれ模式的に示している。ただし、第１群Ｇｒ１と最も縮小側のレンズ群（最終群）は固定群であり、それらに対応する矢印はズーム位置固定であることを示している。なお、最終群の縮小側に位置するプリズムＰＲ（例えばＴＩＲプリズム，色分解合成プリズム等）と画像表示素子のカバーガラスＣＧのズーム位置も固定である。
【００５７】
第１〜第６の実施の形態の投影レンズＺＬは、少なくとも第１群Ｇｒ１と最終群を固定群とし、その他のレンズ群を可動群として光軸ＡＸに沿って移動させることにより変倍を行うプロジェクター用ズームレンズであり、拡大側から順に負正正正の４群と、正の最終群と、をズーム群として有している。つまり、
第１の実施の形態の投影レンズＺＬは５群構成：負正正正正、
第２の実施の形態の投影レンズＺＬは６群構成：負正正正正正、
第３の実施の形態の投影レンズＺＬは６群構成：負正正正正正、
第４の実施の形態の投影レンズＺＬは６群構成：負正正正負正、
第５の実施の形態の投影レンズＺＬは５群構成：負正正正正、
第６の実施の形態の投影レンズＺＬは５群構成：負正正正正、
である。
【００５８】
次に、投影レンズＺＬを適用したプロジェクターの一実施の形態を説明する。図１９に、プロジェクターＰＪの概略構成例を示す。このプロジェクターＰＪは、光源２，照明光学系３，画像表示素子４，制御部５，アクチュエーター６，プリズムＰＲ，投影レンズＺＬ等を備えている。制御部５は、プロジェクターＰＪの全体制御を司る部分である。画像表示素子４は、光を変調して画像を生成する画像変調素子（例えば、デジタル・マイクロミラー・デバイス）であり、画像を表示する画像表示面ＩＭ上には、カバーガラスＣＧが設けられている。
【００５９】
光源２（例えば、キセノンランプ等の白色光源）から出射した光は、照明光学系３及びプリズムＰＲで画像表示素子４に導かれる。プリズムＰＲは、例えばＴＩＲプリズム，色分解合成プリズム等からなり、照明光と投影光との分離等を行う。画像表示素子４に表示された画像は、投影レンズＺＬでスクリーン面１に拡大投影される。
【００６０】
投影レンズＺＬにおいてズーミングやフォーカシングのために移動するレンズ群には、それぞれ光軸ＡＸに沿って拡大側又は縮小側に移動させるアクチュエーター６が接続されている。そしてアクチュエーター６には、移動群の移動制御を行うための制御部５が接続されている。なお、制御部５及びアクチュエーター６については、これを使わず手動でレンズ群を移動させてもよい。
【実施例】
【００６１】
以下、本発明を実施した投影レンズの構成等を、実施例のコンストラクションデータ等を挙げて更に具体的に説明する。ここで挙げる実施例１〜６（ＥＸ１〜６）は、前述した第１〜第６の実施の形態にそれぞれ対応する数値実施例であり、第１〜第６の実施の形態を表す光学構成図（図１〜図６）及び光路図（図７〜図１２）は、対応する実施例１〜６の光学構成，光路等をそれぞれ示している。
【００６２】
各実施例のコンストラクションデータでは、面データとして、左側の欄から順に、面番号ｉ，曲率半径ＣＲ（ｍｍ），軸上面間隔Ｔ（ｍｍ），ｄ線（波長５８７．５６ｎｍ）に関する屈折率Ｎｄ，ｄ線に関するアッベ数Ｖｄを示す。各種データとして、像高（Ｙ’，ｍｍ），ズーム比（ＺＲ）を示し、さらに各ズームポジションＷ，Ｍ，Ｔについて、全系の焦点距離（ｆ，ｍｍ），Ｆナンバー（ＦＮｏ），半画角（ω，°），バックフォーカス（ＢＦ，ｍｍ），レンズ全長（ＳＵＭＴ，ｍｍ），及び可変面間隔Ｔｉ（ｉ：面番号，ｍｍ）を示し、ズームレンズ群データとして、各群の焦点距離（ｍｍ）を示す。また、表１に各実施例の条件式対応値を示す。
【００６３】
バックフォーカスＢＦは、レンズ最終面から近軸像面ＩＭまでの距離を空気換算長により表記しており、レンズ全長ＳＵＭＴは、レンズ最前面からレンズ最終面までの距離にバックフォーカスＢＦを加えたものである。なお、各実施例のデータは、広角端（Ｗ）での焦点距離ｆを１ｍｍに規格化して示しているので、実際のプロジェクターに搭載される際のレンズ系の焦点距離，面間隔等は、ここで挙げたものよりも大きなものとなる。
【００６４】
図１３〜図１８は、実施例１〜実施例６（ＥＸ１〜ＥＸ６）にそれぞれ対応する収差図（無限遠合焦状態での縦収差図）であり、広角端（Ｗ）と中間（Ｍ）と望遠端（Ｔ）における諸収差（左から順に、球面収差，非点収差，歪曲収差である。）を示している。図１３〜図１８中、ＦＮＯはＦナンバー、Ｙ’（ｍｍ）は撮像素子ＳＲの受光面ＳＳ上での最大像高（光軸ＡＸからの距離に相当する。）である。球面収差図において、実線ｄ，一点鎖線ｇ，二点鎖線ｃはｄ線，ｇ線，ｃ線に対する球面収差（ｍｍ）をそれぞれ表している。非点収差図において、破線ＤＭはメリディオナル像面、実線ＤＳはサジタル像面であり、ｄ線に対する各非点収差（ｍｍ）を表している。また、歪曲収差図において実線はｄ線に対する歪曲（％）を表している。
【００６５】
なお、各実施例を投影レンズＺＬとしてプロジェクター（例えば液晶プロジェクター）ＰＪに用いる場合、本来はスクリーン面（被投影面）１が像面であり画像表示面ＩＭ（例えば液晶パネル面）が物体面であるが、各実施例では光学設計上それぞれ縮小系とし、スクリーン面１（図１９）を物体面とみなして画像表示面ＩＭで光学性能を評価している。そして、得られた光学性能から分かるように、各実施例の投影レンズＺＬはプロジェクター用の投影レンズとしてだけでなく、撮像装置（例えばビデオカメラ，デジタルカメラ）用の撮像レンズとしても好適に使用可能である。
【００６６】
実施例１の投影レンズＺＬは、負正正正正の５群構成のズームレンズである。変倍時、第１群Ｇｒ１と最も縮小側の第５群Ｇｒ５は固定である。広角端（Ｗ）から望遠端（Ｔ）への変倍において、第２群Ｇｒ２〜第４群Ｇｒ４が拡大側へ単調に移動し、第４群Ｇｒ４の移動量が最も大きくなっている。
【００６７】
実施例１の光路図（図７）から、第４群Ｇｒ４において変倍時の軸外主光線通過位置の変動が大きく、それに対して第３群Ｇｒ３におけるそれは小さいことが分かる。収差論より、像面湾曲は軸外主光線通過位置に依存して変化することが知られている。本実施例では、第４群Ｇｒ４内で広角端（Ｗ）の軸外主光線通過位置が低く、望遠端（Ｔ）のそれが高いため、変倍により像面湾曲の変動が大きくなる。そのため、本実施例では広角端（Ｗ）で第４群Ｇｒ４から離れた位置に来るように第３群Ｇｒ３を配置することで変倍時のそれを小さくし、像面湾曲変動を補正している。
【００６８】
実施例１では、第３群Ｇｒ３が縮小側凸の正メニスカス単レンズ１枚からなり、絞りＳＴが固定の第５群Ｇｒ５内にある。また実施例１では、レンズ枚数が１８枚であり、変倍比が１．４２倍であり、射出瞳位置は変倍時の変動が無く、縮小側像位置から２０５７．４ｍｍである。縮小側像位置から十分に離れた位置に射出瞳があるため、本実施例では十分なテレセントリック性が確保できている。
【００６９】
実施例２の投影レンズＺＬは、負正正正正正の６群構成のズームレンズである。変倍時、第１群Ｇｒ１と最も縮小側の第６群Ｇｒ６は固定である。広角端（Ｗ）から望遠端（Ｔ）への変倍において、第２群Ｇｒ２〜第４群Ｇｒ４が拡大側へ移動し、第５群Ｇｒ５が縮小側へ単調に移動し、第４群Ｇｒ４の移動量が最も大きくなっている。
【００７０】
実施例２の光路図（図８）から、第４群Ｇｒ４において変倍時の軸外主光線通過位置の変動が大きく、それに対して第３群Ｇｒ３におけるそれは小さいことが分かる。収差論より、像面湾曲は軸外主光線通過位置に依存して変化することが知られている。本実施例では、第４群Ｇｒ４内で広角端（Ｗ）の軸外主光線通過位置が低く、望遠端（Ｔ）のそれが高いため、変倍により像面湾曲の変動が大きくなる。そのため、本実施例では広角端（Ｗ）で第４群Ｇｒ４から離れた位置に来るように第３群Ｇｒ３を配置することで変倍時のそれを小さくし、像面湾曲変動を補正している。
【００７１】
実施例２では、第３群Ｇｒ３が縮小側凸の正メニスカス単レンズ１枚からなり、絞りＳＴが固定の第６群Ｇｒ６内にある。また実施例２では、レンズ枚数が１８枚であり、変倍比が１．４２倍であり、射出瞳位置は変倍時の変動が無く、縮小側像位置から１１４８．１ｍｍである。縮小側像位置から十分に離れた位置に射出瞳があるため、本実施例では十分なテレセントリック性が確保できている。
【００７２】
実施例３の投影レンズＺＬは、負正正正正正の６群構成のズームレンズである。変倍時、第１群Ｇｒ１と最も縮小側の第６群Ｇｒ６が固定である。広角端（Ｗ）から望遠端（Ｔ）への変倍において、第２群Ｇｒ２〜第５群Ｇｒ５が拡大側へ単調に移動し、第４群Ｇｒ４の移動量が最も大きくなっている。
【００７３】
実施例３の光路図（図９）から、第４群Ｇｒ４において変倍時の軸外主光線通過位置の変動が大きく、それに対して第３群Ｇｒ３におけるそれは小さいことが分かる。収差論より、像面湾曲は軸外主光線通過位置に依存して変化することが知られている。本実施例では、第４群Ｇｒ４内で広角端（Ｗ）の軸外主光線通過位置が低く、望遠端（Ｔ）のそれが高いため、変倍により像面湾曲の変動が大きくなる。そのため、本実施例では広角端（Ｗ）で第４群Ｇｒ４から離れた位置に来るように第３群Ｇｒ３を配置することで変倍時のそれを小さくし、像面湾曲変動を補正している。
【００７４】
実施例３では、第３群Ｇｒ３が縮小側凸の正メニスカス単レンズ１枚からなり、絞りＳＴが固定の第６群Ｇｒ６内にある。また実施例３では、レンズ枚数が１８枚であり、変倍比が１．４２倍であり、射出瞳位置は変倍時の変動が無く、縮小側像位置から１７８２．１ｍｍである。縮小側像位置から十分に離れた位置に射出瞳があるため、本実施例では十分なテレセントリック性が確保できている。
【００７５】
実施例４の投影レンズＺＬは、負正正正負正の６群構成のズームレンズである。変倍時、第１群Ｇｒ１と最も縮小側の第６群Ｇｒ６が固定である。広角端（Ｗ）から望遠端（Ｔ）への変倍において、第２群Ｇｒ２〜第４群Ｇｒ４が拡大側へ移動し、第５群Ｇｒ５が縮小側へ単調に移動し、第４群Ｇｒ４の移動量が最も大きくなっている。
【００７６】
実施例４の光路図（図１０）から、第４群Ｇｒ４において変倍時の軸外主光線通過位置の変動が大きく、それに対して第３群Ｇｒ３におけるそれは小さいことが分かる。収差論より、像面湾曲は軸外主光線通過位置に依存して変化することが知られている。本実施例では、第４群Ｇｒ４内で広角端（Ｗ）の軸外主光線通過位置が低く、望遠端（Ｔ）のそれが高いため、変倍により像面湾曲の変動が大きくなる。そのため、本実施例では広角端（Ｗ）で第４群Ｇｒ４から離れた位置に来るように第３群Ｇｒ３を配置することで変倍時のそれを小さくし、像面湾曲変動を補正している。
【００７７】
実施例４では、第３群Ｇｒ３が縮小側凸の正メニスカス単レンズ１枚からなり、絞りＳＴが固定の第６群Ｇｒ６内にある。また実施例４では、レンズ枚数が１８枚であり、変倍比が１．４２倍であり、射出瞳位置は変倍時の変動が無く、縮小側像位置から４２３５．６ｍｍである。縮小側像位置から十分に離れた位置に射出瞳があるため、本実施例では十分なテレセントリック性が確保できている。
【００７８】
実施例５の投影レンズＺＬは、負正正正正の５群構成のズームレンズである。変倍時、第１群Ｇｒ１と最も縮小側の第５群Ｇｒ５が固定である。広角端（Ｗ）から望遠端（Ｔ）への変倍において、第２群Ｇｒ２〜第４群Ｇｒ４が拡大側へ単調に移動し、第４群Ｇｒ４の移動量が最も大きくなっている。
【００７９】
実施例５の光路図（図１１）から、第４群Ｇｒ４において変倍時の軸外主光線通過位置の変動が大きく、それに対して第３群Ｇｒ３におけるそれは小さいことが分かる。収差論より、像面湾曲は軸外主光線通過位置に依存して変化することが知られている。本実施例では、第４群Ｇｒ４内で広角端（Ｗ）の軸外主光線通過位置が低く、望遠端（Ｔ）のそれが高いため、変倍により像面湾曲の変動が大きくなる。そのため、本実施例では広角端（Ｗ）で第４群Ｇｒ４から離れた位置に来るように第３群Ｇｒ３を配置することで変倍時のそれを小さくし、像面湾曲変動を補正している。
【００８０】
実施例５では、第３群Ｇｒ３が縮小側凸の正メニスカス単レンズ１枚からなり、絞りＳＴが固定の第５群Ｇｒ５内にある。また実施例５では、レンズ枚数が１８枚であり、変倍比が１．３倍であり、射出瞳位置は変倍時の変動が無く、縮小側像位置から１９９４．１ｍｍである。縮小側像位置から十分に離れた位置に射出瞳があるため、本実施例では十分なテレセントリック性が確保できている。
【００８１】
実施例６の投影レンズＺＬは、負正正正正の５群構成のズームレンズである。変倍時、第１群Ｇｒ１と最も縮小側の第５群Ｇｒ５が固定である。広角端（Ｗ）から望遠端（Ｔ）への変倍において、第２群Ｇｒ２〜第４群Ｇｒ４が拡大側へ単調に移動し、第４群Ｇｒ４の移動量が最も大きくなっている。
【００８２】
実施例６の光路図（図１２）から、第４群Ｇｒ４において変倍時の軸外主光線通過位置の変動が大きく、それに対して第３群Ｇｒ３におけるそれは小さいことが分かる。収差論より、像面湾曲は軸外主光線通過位置に依存して変化することが知られている。本実施例では、第４群Ｇｒ４内で広角端（Ｗ）の軸外主光線通過位置が低く、望遠端（Ｔ）のそれが高いため、変倍により像面湾曲の変動が大きくなる。そのため、本実施例では広角端（Ｗ）で第４群Ｇｒ４から離れた位置に来るように第３群Ｇｒ３を配置することで変倍時のそれを小さくし、像面湾曲変動を補正している。
【００８３】
実施例６では、第３群Ｇｒ３が縮小側凸の正メニスカス単レンズ１枚からなり、絞りＳＴが固定の第５群Ｇｒ５内にある。また実施例６では、レンズ枚数が１８枚であり、変倍比が１．４５倍であり、射出瞳位置は変倍時の変動が無く、縮小側像位置から６９４２．８ｍｍである。縮小側像位置から十分に離れた位置に射出瞳があるため、本実施例では十分なテレセントリック性が確保できている。
【００８４】
実施例１
単位：mm
面データ
i           CR       T         Nd     Vd
1           7.948   0.437    1.51680 64.19
2          70.503   0.016
3           4.948   0.197    1.60311 60.69
4           1.995   0.749
5          12.428   0.155    1.49700 81.60
6           2.496   1.166
7         -70.359   0.139    1.49700 81.60
8           3.602    可変
9          -6.402   0.133    1.75520 27.53
10          5.896   0.136
11          8.091   0.481    1.59551 39.22
12         -2.806    可変
13         -3.114   0.250    1.51742 52.19
14         -2.373    可変
15         -2.413   0.131    1.75520 27.53
16         -3.837   0.304
17         -4.220   0.251    1.51823 58.96
18         -2.501   0.016
19          6.009   0.319    1.49700 81.60
20        -11.657    可変
21         -5.826   0.091    1.49700 81.60
22          1.951   0.114
23          2.127   0.302    1.64769 33.84
24        -21.922   0.277
25(ST)   INFINITY   1.889
26         -2.349   0.085    1.80611 40.73
27          4.210   0.145
28         10.621   0.276    1.49700 81.60
29         -2.775   0.016
30          3.321   0.435    1.49700 81.60
31         -2.909   0.083
32        -20.666   0.107    1.80611 40.73
33          2.595   0.156
34          3.796   0.334    1.49700 81.60
35         -5.495   0.064
36          3.247   0.375    1.49700 81.60
37         -5.931   0.534
38       INFINITY   3.736    1.51680 64.19
39       INFINITY   0.213
40       INFINITY   0.160    1.48749 70.44
41       INFINITY
【００８５】
各種データ
Y'=   0.62
ZR=   1.42
f=   1.000 -   1.172 -   1.417
FNo=   2.301 -   2.301 -   2.300
ω=  31.870 -  27.940 -  23.700
BF=   3.399 -   3.400 -   3.400
SUMT=  18.408 -  18.409 -  18.409
T8=   0.833 -   0.718 -   0.661
T12=   2.564 -   2.036 -   1.603
T14=   1.760 -   1.324 -   0.454
T20=   0.221 -   1.300 -   2.659
【００８６】
ズームレンズ群データ
群/面     焦点距離
1/ 1- 8    -2.070
2/ 9-12    16.214
3/13-14    17.268
4/15-20     8.145
5/21-41     3.520
【００８７】
実施例２
単位：mm
面データ
i           CR       T         Nd     Vd
1           7.564   0.442    1.51680 64.19
2          54.018   0.016
3           4.764   0.197    1.60311 60.69
4           1.947   0.774
5          14.617   0.155    1.49700 81.60
6           2.494   1.216
7         -20.217   0.139    1.49700 81.60
8           4.198    可変
9          -7.068   0.133    1.75520 27.53
10          5.327   0.129
11          6.769   0.501    1.59551 39.22
12         -2.816    可変
13         -2.940   0.225    1.51742 52.19
14         -2.328    可変
15         -2.474   0.127    1.75520 27.53
16         -3.999   0.405
17         -5.046   0.285    1.51823 58.96
18         -2.655   0.016
19          6.054   0.309    1.49700 81.60
20        -13.544    可変
21         -6.140   0.091    1.49700 81.60
22          1.934   0.113
23          2.093   0.303    1.64769 33.84
24        -26.777    可変
25(ST)   INFINITY   1.916
26         -2.228   0.085    1.80611 40.73
27          4.322   0.140
28          9.364   0.291    1.49700 81.60
29         -2.709   0.021
30          3.470   0.442    1.49700 81.60
31         -2.904   0.071
32        -28.620   0.107    1.80611 40.73
33          2.561   0.142
34          3.374   0.361    1.49700 81.60
35         -5.286   0.064
36          3.555   0.348    1.49700 81.60
37         -6.672   0.534
38       INFINITY   3.736    1.51680 64.19
39       INFINITY   0.214
40       INFINITY   0.160    1.48749 70.44
41       INFINITY
【００８８】
各種データ
Y'=   0.62
ZR=   1.42
f=   1.000 -   1.172 -   1.417
FNo=   2.300 -   2.300 -   2.300
ω=  31.870 -  27.939 -  23.701
BF=   3.399 -   3.400 -   3.400
SUMT=  18.411 -  18.412 -  18.411
T8=   0.872 -   0.722 -   0.640
T12=   2.434 -   1.932 -   1.515
T14=   1.716 -   1.296 -   0.454
T20=   0.218 -   1.324 -   2.680
T24=   0.208 -   0.175 -   0.160
【００８９】
ズームレンズ群データ
群/面     焦点距離
1/ 1- 8    -2.034
2/ 9-12    13.832
3/13-14    19.213
4/15-20     7.958
5/21-24   111.096
6/25-41     3.712
【００９０】
実施例３
単位：mm
面データ
i           CR       T         Nd     Vd
1           7.533   0.444    1.51680 64.19
2          54.894   0.016
3           4.680   0.197    1.60311 60.69
4           1.931   0.779
5          15.316   0.155    1.49700 81.60
6           2.449   1.169
7         -20.467   0.139    1.49700 81.60
8           4.427    可変
9          -7.410   0.133    1.75520 27.53
10          5.350   0.132
11          6.945   0.517    1.59551 39.22
12         -2.856    可変
13         -2.981   0.244    1.51742 52.19
14         -2.349    可変
15         -2.513   0.123    1.75520 27.53
16         -4.264   0.368
17         -5.563   0.281    1.51823 58.96
18         -2.662   0.016
19          6.340   0.301    1.49700 81.60
20        -14.135    可変
21         -5.532   0.091    1.49700 81.60
22          1.964   0.113
23          2.136   0.306    1.64769 33.84
24        -16.897    可変
25(ST)   INFINITY   1.930
26         -2.213   0.085    1.80611 40.73
27          4.446   0.141
28         10.534   0.284    1.49700 81.60
29         -2.659   0.016
30          3.626   0.438    1.49700 81.60
31         -2.760   0.070
32        -22.094   0.107    1.80611 40.73
33          2.619   0.144
34          3.502   0.352    1.49700 81.60
35         -5.389   0.064
36          3.360   0.356    1.49700 81.60
37         -6.901   0.534
38       INFINITY   3.736    1.51680 64.19
39       INFINITY   0.214
40       INFINITY   0.160    1.48749 70.44
41       INFINITY
【００９１】
各種データ
Y'=   0.62
ZR=   1.42
f=   1.000 -   1.172 -   1.417
FNo=   2.300 -   2.300 -   2.300
ω=  31.870 -  27.939 -  23.701
BF=   3.399 -   3.400 -   3.400
SUMT=  18.424 -  18.425 -  18.425
T8=   0.847 -   0.705 -   0.626
T12=   2.442 -   1.948 -   1.546
T14=   1.842 -   1.364 -   0.454
T20=   0.224 -   1.330 -   2.677
T24=   0.160 -   0.169 -   0.214
【００９２】
ズームレンズ群データ
群/面     焦点距離
1/ 1- 8    -2.055
2/ 9-12    13.825
3/13-14    18.920
4/15-20     8.246
5/21-24    79.066
6/25-41     3.712
【００９３】
実施例４
単位：mm
面データ
i           CR       T         Nd     Vd
1           7.656   0.437    1.51680 64.19
2          52.507   0.016
3           4.632   0.197    1.60311 60.69
4           1.937   0.763
5          12.112   0.155    1.49700 81.60
6           2.384   1.198
7         -50.517   0.139    1.49700 81.60
8           3.564    可変
9          -7.087   0.133    1.75520 27.53
10          5.786   0.123
11          7.041   0.500    1.59551 39.22
12         -2.801    可変
13         -2.962   0.262    1.51742 52.19
14         -2.337    可変
15         -2.547   0.123    1.75520 27.53
16         -4.073   0.426
17         -4.702   0.284    1.51823 58.96
18         -2.635   0.016
19          5.589   0.315    1.49700 81.60
20        -14.683    可変
21         -5.461   0.091    1.49700 81.60
22          1.916   0.113
23          2.082   0.287    1.64769 33.84
24       -102.647    可変
25(ST)   INFINITY   1.961
26         -2.581   0.085    1.80611 40.73
27          4.385   0.133
28          8.293   0.280    1.49700 81.60
29         -2.896   0.016
30          3.174   0.411    1.49700 81.60
31         -3.592   0.094
32       -365.391   0.107    1.80611 40.73
33          2.576   0.162
34          3.882   0.325    1.49700 81.60
35         -5.834   0.064
36          3.255   0.360    1.49700 81.60
37         -6.853   0.534
38       INFINITY   3.736    1.51680 64.19
39       INFINITY   0.214
40       INFINITY   0.160    1.48749 70.44
41       INFINITY
【００９４】
各種データ
Y'=   0.62
ZR=   1.42
f=   1.000 -   1.173 -   1.417
FNo=   2.301 -   2.300 -   2.300
ω=  31.869 -  27.938 -  23.699
BF=   3.399 -   3.400 -   3.400
SUMT=  18.273 -  18.274 -  18.274
T8=   0.992 -   0.791 -   0.646
T12=   2.190 -   1.721 -   1.378
T14=   1.585 -   1.247 -   0.454
T20=   0.225 -   1.311 -   2.660
T24=   0.305 -   0.227 -   0.160
【００９５】
ズームレンズ群データ
群/面     焦点距離
1/ 1- 8    -1.997
2/ 9-12    12.470
3/13-14    18.719
4/15-20     7.770
5/21-24   -49.845
6/25-41     3.620
【００９６】
実施例５
単位：mm
面データ
i           CR       T         Nd     Vd
1           5.829   0.475    1.51680 64.19
2          64.033   0.015
3           3.804   0.181    1.60311 60.69
4           1.928   0.750
5         -22.432   0.142    1.49700 81.60
6           2.272   0.809
7         -18.972   0.127    1.49700 81.60
8           4.303    可変
9          -8.852   0.122    1.75520 27.53
10          3.377   0.138
11          4.611   0.482    1.59551 39.22
12         -2.951    可変
13         -3.122   0.258    1.51742 52.19
14         -2.249    可変
15         -2.755   0.113    1.75520 27.53
16         -4.515   0.066
17         -7.483   0.236    1.51823 58.96
18         -2.703   0.015
19          5.234   0.221    1.49700 81.60
20        414.758    可変
21         -4.856   0.083    1.49700 81.60
22          1.964   0.141
23          2.132   0.265    1.64769 33.84
24        -13.689   0.147
25(ST)   INFINITY   1.798
26         -1.889   0.078    1.80611 40.73
27          5.195   0.134
28         22.403   0.263    1.49700 81.60
29         -2.188   0.015
30          3.617   0.395    1.49700 81.60
31         -2.585   0.049
32       -175.413   0.098    1.80611 40.73
33          2.375   0.124
34          2.987   0.317    1.49700 81.60
35         -6.339   0.059
36          3.192   0.318    1.49700 81.60
37         -6.559   0.492
38       INFINITY   3.429    1.51680 64.19
39       INFINITY   0.196
40       INFINITY   0.147    1.48749 70.44
41       INFINITY
【００９７】
各種データ
Y'=   0.57
ZR=   1.30
f=   1.000 -   1.131 -   1.300
FNo=   2.300 -   2.300 -   2.300
ω=  29.708 -  26.784 -  23.701
BF=   3.122 -   3.122 -   3.122
SUMT=  16.908 -  16.908 -  16.908
T8=   0.840 -   0.726 -   0.657
T12=   2.131 -   1.929 -   1.744
T14=   2.097 -   1.573 -   0.833
T20=   0.284 -   1.125 -   2.118
【００９８】
ズームレンズ群データ
群/面     焦点距離
1/ 1- 8    -2.083
2/ 9-12    21.098
3/13-14    14.137
4/15-20     7.980
5/21-41     3.193
【００９９】
実施例６
単位：mm
面データ
i           CR       T         Nd     Vd
1           7.813   0.433    1.51680 64.19
2          41.649   0.016
3           4.722   0.202    1.60311 60.69
4           1.966   0.782
5          11.738   0.158    1.49700 81.60
6           2.536   0.940
7         -25.426   0.142    1.49700 81.60
8           4.602    可変
9          -7.010   0.137    1.75520 27.53
10         10.084   0.163
11         38.988   0.446    1.59551 39.22
12         -2.821    可変
13         -2.948   0.224    1.51742 52.19
14         -2.334    可変
15         -2.590   0.137    1.75520 27.53
16         -4.859   0.523
17         -8.393   0.354    1.51823 58.96
18         -3.029   0.101
19          7.503   0.309    1.49700 81.60
20        -10.919    可変
21         -5.117   0.093    1.49700 81.60
22          2.051   0.116
23          2.231   0.313    1.64769 33.84
24        -14.751   0.164
25(ST)   INFINITY   2.020
26         -2.225   0.087    1.80611 40.73
27          5.037   0.146
28         14.182   0.291    1.49700 81.60
29         -2.623   0.016
30          3.756   0.449    1.49700 81.60
31         -2.864   0.064
32        -33.079   0.109    1.80611 40.73
33          2.535   0.134
34          3.106   0.385    1.49700 81.60
35         -5.725   0.066
36          3.758   0.349    1.49700 81.60
37         -7.064   0.546
38       INFINITY   3.824    1.51680 64.19
39       INFINITY   0.219
40       INFINITY   0.164    1.48749 70.44
41       INFINITY
【０１００】
各種データ
Y'=   0.64
ZR=   1.45
f=   1.000 -   1.184 -   1.450
FNo=   2.300 -   2.300 -   2.300
ω=  32.470 -  28.265 -  23.700
BF=   3.479 -   3.480 -   3.480
SUMT=  18.858 -  18.858 -  18.858
T8=   1.137 -   0.913 -   0.778
T12=   2.785 -   2.252 -   1.813
T14=   1.349 -   0.953 -   0.055
T20=   0.236 -   1.389 -   2.862
【０１０１】
ズームレンズ群データ
群/面     焦点距離
1/ 1- 8    -2.233
2/ 9-12    16.202
3/13-14    19.281
4/15-20     8.235
5/21-41     3.634
【０１０２】
【表１】
2014035459.tif 000003
【符号の説明】
【０１０３】
ＺＬ    投影レンズ（ズームレンズ）
Ｇｒ１    第１群
Ｇｒ２    第２群
Ｇｒ３    第３群
Ｇｒ４    第４群
Ｇｒ５    第５群
Ｇｒ６    第６群
ＳＴ    絞り
ＩＭ    画像表示面（縮小側像面）
ＰＪ    プロジェクター
ＰＲ    プリズム
１    スクリーン面
２    光源
３    照明光学系
４    画像表示素子
５    制御部
６    アクチュエーター
ＡＸ    光軸
【図１】
2014035459.tif 000004
【図２】
2014035459.tif 000005
【図３】
2014035459.tif 000006
【図４】
2014035459.tif 000007
【図５】
2014035459.tif 000008
【図６】
2014035459.tif 000009
【図７】
2014035459.tif 000010
【図８】
2014035459.tif 000011
【図９】
2014035459.tif 000012
【図１０】
2014035459.tif 000013
【図１１】
2014035459.tif 000014
【図１２】
2014035459.tif 000015
【図１３】
2014035459.tif 000016
【図１４】
2014035459.tif 000017
【図１５】
2014035459.tif 000018
【図１６】
2014035459.tif 000019
【図１７】
2014035459.tif 000020
【図１８】
2014035459.tif 000021
【図１９】
2014035459.tif 000022